【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
複数のレスポンダデバイスの１つとしての第１のレスポンダデバイスによって実行される方法であって、
前記第１のレスポンダデバイスが、イニシエータデバイスから、マルチアンテナビームフォーミングトレーニングのためのフィードバック期間を告知するスケジューリング情報を含み、かつ少なくとも１つのトレーニングフィールドを含む１つまたは複数のフレームを受信するステップであって、それぞれのトレーニングフィールドは、それぞれのフレームの終わりに配置された複数のトレーニングサブフィールドを含み、
それぞれのフレームは、複数の送信ビームのうちのそれぞれの送信ビームを使用して連続的に送信され、
トレーニングサブフィールドの数は、トレーニングされるべき前記複数のレスポンダデバイスの受信ビームの数に相当する、
ステップと、
前記第１のレスポンダデバイスが、それぞれのトレーニングサブフィールドについて、複数の受信ビームのそれぞれの上で連続的に受信するステップと、
前記第１のレスポンダデバイスが、前記イニシエータデバイスの複数の送信ビームのうちの最良の送信ビームを決定するステップと、
前記第１のレスポンダデバイスが、前記複数のトレーニングサブフィールドを使用してトレーニングされた前記第１のレスポンダデバイスの前記複数の受信ビームのうちの最良の受信ビームを決定するステップと、
前記第１のレスポンダデバイスが、前記告知されたフィードバック期間において前記イニシエータデバイスの前記受信ビームに関連付けられたフィードバック期間タイムスロットの間にビームフォーミングフィードバック応答を前記イニシエータデバイスに送信するステップであって、
前記告知されたフィードバック期間は、競合ベースのフィードバック期間であり、前記第１のレスポンダデバイスおよび少なくとも１つの他のレスポンダデバイスは、前記告知されたフィードバック期間内の前記フィードバック期間タイムスロットの間に競合するビームフォーミングフィードバック応答を有することができ、
前記ビームフォーミングフィードバック応答は、前記第１のレスポンダデバイスの前記最良の受信ビームに関連付けられた前記第１のレスポンダデバイスの送信ビーム上で送信される、ステップと、
前記第１のレスポンダデバイスが、前記イニシエータデバイスから少なくとも１つの確認応答フレームを受信するステップと
を含む方法。
【請求項２】
トレーニングサブフィールドの数がトレーニングされるべき前記第１のレスポンダデバイスの受信ビームの数に等しいことに応答して、前記第１のレスポンダデバイスが、トレーニングされるべき前記第１のレスポンダデバイスの受信ビームとして含むように前記複数の受信ビームを選択するステップをさらに含む、請求項１の方法。
【請求項３】
トレーニングサブフィールドの数がトレーニングされるべき前記第１のレスポンダデバイスの受信ビームの数よりも大きいことに応答して、前記第１のレスポンダデバイスが、トレーニングされるべき前記第１のレスポンダデバイスの前記受信ビームとして含むように前記複数の受信ビームおよび少なくとも１つの繰り返される受信ビームを選択するステップをさらに含む、請求項１の方法。
【請求項４】
トレーニングサブフィールドの数がトレーニングされるべき前記第１のレスポンダデバイスの受信ビームの数未満であることに応答して、前記第１のレスポンダデバイスが、トレーニングされるべき受信ビームのセットとして含むように前記複数の受信ビームを選択するステップであって、前記セット内の受信ビームの数は前記トレーニングサブフィールドの数に等しい、ステップをさらに含む、請求項１の方法。
【請求項５】
前記第１のレスポンダデバイスが、前記それぞれのフレームにおいて提供された情報に基づいてその中で送信するための前記フィードバック期間タイムスロットを選択するステップをさらに含む、請求項１の方法。
【請求項６】
前記第１のレスポンダデバイスが、前記ビームフォーミングフィードバック応答をその中で送信するための前記フィードバック期間タイムスロット内の複数の時間チップのうちの１つをランダムに選択するステップをさらに含む、請求項１の方法。
【請求項７】
前記第１のレスポンダデバイスが、前記ビームフォーミングフィードバック応答をその中で送信するための前記フィードバック期間タイムスロット内の複数の時間空間チップのうちの１つをランダムに選択するステップをさらに含む、請求項１の方法。
【請求項８】
前記第１のレスポンダデバイスが、前記フィードバック期間タイムスロットにおいて前記ビームフォーミングフィードバック応答をその上で送信するための複数の周波数領域サブチャネルのうちの１つをランダムに選択するステップをさらに含む、請求項１の方法。
【請求項９】
前記第１のレスポンダデバイスが、前記イニシエータデバイスから受信されたポーリングフレームに応答してその中で送信するための前記フィードバック期間タイムスロットを選択するステップをさらに含む、請求項１の方法。
【請求項１０】
前記第１のレスポンダデバイスによって受信された前記１つまたは複数のフレームは、前記複数のレスポンダデバイスのうちの２つ以上のレスポンダデバイスに宛てられる、請求項１の方法。
【請求項１１】
前記第１のレスポンダデバイスが、前記イニシエータデバイスの前記送信ビームの順序に基づいて、複数のフィードバック期間タイムスロットのそれぞれに使用される前記イニシエータデバイスの受信ビームを決定するステップをさらに含む、請求項１の方法。
【請求項１２】
複数のレスポンダデバイスのうちの第１のレスポンダデバイスであって、
イニシエータデバイスから、マルチアンテナビームフォーミングトレーニングのためのフィードバック期間を告知するスケジューリング情報を含み、かつ少なくとも１つのトレーニングフィールドを含む１つまたは複数のフレームを受信し、それぞれのトレーニングフィールドは、それぞれのフレームの終わりに配置された複数のトレーニングサブフィールドを含み、それぞれのフレームは、複数の送信ビームのうちのそれぞれの送信ビームを使用して連続的に送信され、トレーニングサブフィールドの数は、トレーニングされるべき前記複数のレスポンダデバイスの受信ビームの数に相当し、
それぞれのトレーニングサブフィールドについて、複数の受信ビームのそれぞれの上で連続的に受信する
ように構成された送受信ユニットと、
前記イニシエータデバイスの複数の送信ビームのうちの最良の送信ビームを決定し、
前記複数のトレーニングサブフィールドを使用してトレーニングされた前記第１のレスポンダデバイスの前記複数の受信ビームのうちの最良の受信ビームを決定する
ように構成されたプロセッサと
を備え、
前記送受信ユニットは、前記告知されたフィードバック期間において前記イニシエータデバイスの前記受信ビームに関連付けられたフィードバック期間タイムスロットの間にビームフォーミングフィードバック応答を前記イニシエータデバイスに送信するように構成され、
前記告知されたフィードバック期間は、競合ベースのフィードバック期間であり、前記第１のレスポンダデバイスおよび少なくとも１つの他のレスポンダデバイスは、前記告知されたフィードバック期間内の前記フィードバック期間タイムスロットの間に競合するビームフォーミングフィードバック応答を有することができ、
前記ビームフォーミングフィードバック応答は、前記第１のレスポンダデバイスの前記最良の受信ビームに関連付けられた前記第１のレスポンダデバイスの送信ビーム上で送信され、
前記送受信ユニットは、前記イニシエータデバイスから少なくとも１つの確認応答フレームを受信するように構成されている
第１のレスポンダデバイス。
【請求項１３】
トレーニングサブフィールドの数がトレーニングされるべき前記第１のレスポンダデバイスの受信ビームの数に等しいことに応答して、前記プロセッサは、トレーニングされるべき前記第１のレスポンダデバイスの受信ビームとして含むように前記複数の受信ビームを選択するように構成されており、
トレーニングサブフィールドの前記数がトレーニングされるべき前記第１のレスポンダデバイスの受信ビームの前記数よりも大きいことに応答して、前記プロセッサは、トレーニングされるべき前記第１のレスポンダデバイスの前記受信ビームとして含むように前記複数の受信ビームおよび少なくとも１つの繰り返される受信ビームを選択するように構成されており、
トレーニングサブフィールドの前記数がトレーニングされるべき前記第１のレスポンダデバイスの受信ビームの前記数未満であることに応答して、前記プロセッサは、トレーニングされるべき受信ビームのセットとして含むように前記複数の受信ビームを選択し、前記セット内の受信ビームの数が前記トレーニングサブフィールドの数に等しくなるようにするように構成されている、
請求項１２の第１のレスポンダデバイス。
【請求項１４】
前記プロセッサは、前記それぞれのフレームにおいて提供された情報に基づいてその中で送信するための前記フィードバック期間タイムスロットを選択するように構成されている、請求項１２の第１のレスポンダデバイス。
【請求項１５】
前記プロセッサは、前記ビームフォーミングフィードバック応答をその中で送信するための前記フィードバック期間タイムスロット内の複数の時間チップまたは複数の時間空間チップのうちの１つをランダムに選択するように構成されている、請求項１２の第１のレスポンダデバイス。
【請求項１６】
前記プロセッサは、前記フィードバック期間タイムスロットにおいて前記ビームフォーミングフィードバック応答をその上で送信するための複数の周波数領域サブチャネルのうちの１つをランダムに選択するように構成されている、請求項１２の第１のレスポンダデバイス。
【請求項１７】
前記プロセッサは、前記イニシエータデバイスから受信されたポーリングフレームに応答してその中で送信するための前記フィードバック期間タイムスロットを選択するように構成されている、請求項１２の第１のレスポンダデバイス。
【請求項１８】
前記第１のレスポンダデバイスによって受信された前記１つまたは複数のフレームは、前記複数のレスポンダデバイスのうちの２つ以上のレスポンダデバイスに宛てられる、請求項１２の第１のレスポンダデバイス。
【請求項１９】
前記プロセッサは、前記イニシエータデバイスの前記送信ビームの順序に基づいて、複数のフィードバック期間タイムスロットのそれぞれに使用される前記イニシエータデバイスの受信ビームを決定するように構成されている、請求項１２の第１のレスポンダデバイス。